(57)【要約】【課題】本発明は、ディスク装置等に搭載されて、光媒体の動作状態を表示する発光素子の製造工程での異常動作に基づく部品破壊を防止することができる光ディスク装置を提供することを目的とする。【解決手段】筐体１内に収納され前記開口より出没自在に設けられたトレイ２と、前記トレイ２に設けられ媒体を回転駆動させると共に光を媒体に照射することで媒体に情報の記録もしくは情報の再生のすくなくとも一方を行うピックアップモジュールと、前記ピックアップモジュールの回路基板と接続されたフレキシブル基板１７と、前記フレキシブル基板１７に設けた発光素子１４と、前記発光素子１４と直列に配線される電子部品と、を有し前記発光素子１４または前記電子部品は、前記フレキシブル基板１７上で傾斜をつけて配置された構成とした。【選択図】図４
2006054031.tif 000002
【特許請求の範囲】
【請求項１】
筐体と、前記筐体に出し入れ自在に設けられたトレイと、前記トレイに設けられたピックアップモジュールと、前記ピックアップモジュールの回路基板と接続されたフレキシブル基板とを備え、
前記フレキシブル基板に、発光素子と、前記発光素子と直列に配線される電子部品を設けたことを特徴とする光ディスク装置。
【請求項２】
前記フレキシブル基板に設けた発光素子は、前記筐体の上面をベゼル側正面よりみた長手方向を基準方向とし、前記基準方向に対し交差する方向に配置したことを特徴とする請求項１に記載の光ディスク装置。
【請求項３】
前記フレキシブル基板に設けた電子部品は、前記筐体の上面をベゼル側正面よりみた長手方向を基準方向とし、前記基準方向に対し交差する方向に配置したことを特徴とする請求項１または請求項２に記載の光ディスク装置。
【請求項４】
前記発光素子または前記電子部品の少なくとも一方は、前記基準方向に対し交差する角度が略４５度であることを特徴とする請求項１から請求項３のいずれか１項に記載の光ディスク装置。
【請求項５】
前記フレキシブル基板は、前記発光素子または前記電子部品の少なくとも一方が接続される複数の対の接続点を有することを特徴とする請求項１から請求項４のいずれか１項に記載の光ディスク装置。
【発明の詳細な説明】
【技術分野】
【０００１】
本発明は、パーソナルコンピュータ，ノートブック型コンピュータなどの電子機器に搭載される光ディスク装置に関するものである。
【背景技術】
【０００２】
光学記録再生用媒体として、ＣＤ、ＤＶＤ（Ｄｉｇｉｔａｌ  Ｖｅｒｓａｔｉｌｅ  Ｄｉｓｃ）、ＣＤ−Ｒ（書き込み可能なコンパクトディスク）、ＣＤ−ＲＷ（書き換え可能なコンパクトディスク）、記録型ＤＶＤ等の種々の光ディスクが開発されている。それに伴って、デスクトップパソコンやノート型パソコンに内蔵される小型のディスク装置が開発されている。前記光ディスク装置には、前記光学記録再生媒体を記録再生する装着位置から前記光学記録再生媒体をディスク装置より排出する排出位置へ移動させる機構が搭載されている。
【０００３】
光ディスク装置では、光学記録再生媒体を排出するには、全面ベゼルに配設されたイジェクトボタンを押すことで、光記録再生媒体を取り出すことができる位置へ移動させる構成を採っている。また、前記イジェクトボタンの側部位置には、ディスク装置が動作している際に点灯する発光素子が配設されている。このため全面ベゼルには、発光素子の点灯状態をみることができるように発光素子ホールが設けられている。
【０００４】
前記イジェクトボタンおよび前記発光素子は、前記ベゼルの裏側に設けたフレキシブル基板に配設されており、前記フレキシブル基板は前記ベゼル裏側位置からソレノイド、フィードモータなどを配線し、回路基板に接続されている。
【０００５】
前記発光素子は、回路基板から供給される電源による通電で発光するように構成され、発光素子の特性にあわせて、発光素子と直列接続に抵抗等の電子部品を接続することにより通電電流を制御し、過電流によって、前記電子部品が破壊することを防止している。
【０００６】
なお、光ディスク装置の部品破壊の防止としては、例えば（特許文献１）がある。
【０００７】
また、前記発光素子はユーザによって異なる発光色の素子を用いることがあり、前記異なる発光素子に対しては、前記異なる発光素子それぞれの特性に合わせて異なる電子部品を用いている。
【０００８】
かかるユーザ毎の発光色に対応するのに、従来は２色の発光色を持つ発光素子が用いられて制御基板側で、異なる色を発光するように制御していた。また、前記電子部品は、前記制御基板側に設けられていた。
【特許文献１】特開２００２−５０１６２号公報
【発明の開示】
【発明が解決しようとする課題】
【０００９】
しかしながら２色の発光色を持つ発光素子は、一般に高価なものが多い為単色の発光素子を採用するのが望ましいが、前記単色の素子を用いると発光素子の種類が多く発生することになり、誤使用の発生する場合がある。かかる誤使用の防止には、光ディスクの製造時に、事前にフレキシブル基板検査を実施している。また、前記発光素子の動作も発光素子の特性にあわせて、検査製造工程で検査装置の試験条件を設定変更し検査している。前記検査工程の中では発光素子を備えたフレキシブル基板の検査をするが、前記フレキシブル基板に検査装置を接続する際に、検査装置内電源からの過電圧や、検査回路に蓄積され
た残留容量による過電流流入等により発光素子が破壊することがあった。
【００１０】
本発明は、上記の課題を解決するためになされたもので、製造工程における部品の実装検査時に発光素子等の部品破壊の防止を図ることを目的とする。
【課題を解決するための手段】
【００１１】
本発明の光ディスク装置は、上記の課題を解決するためになされたもので、筐体と、前記筐体に出し入れ自在に設けられたトレイと、前記トレイに設けられたピックアップモジュールと、前記ピックアップモジュールの回路基板と接続されたフレキシブル基板とを備え、前記フレキシブル基板に、発光素子と、前記発光素子と直列に配線される電子部品を設けた構成を採る。
【００１２】
この構成によれば、フレキシブル基板上に配置された部品の実装検査の際に、発光素子に過電流がかかり、発光素子が破壊されることがなくなる。
【発明の効果】
【００１３】
本発明は、光ディスク製造時における発光素子の動作確認検査時に、検査電源より供給される異常な電圧により発光素子に流れる過電流を防止できるので発光素子が破壊することを回避することができる。また、１つのフレキシブル基板で、複数の発光素子に対応でき、発光素子の配置で容易に種別が可能となる。
【発明を実施するための最良の形態】
【００１４】
請求項１に記載の発明は、筐体と、筐体に出し入れ自在に設けられたトレイと、トレイに設けられたピックアップモジュールと、ピックアップモジュールの回路基板と接続されたフレキシブル基板とを備え、フレキシブル基板に、発光素子と、発光素子と直列に配線される電子部品を設けた構成とした。
【００１５】
この構成によれば、フレキシブル基板上に配置された部品の実装検査の際に、発光素子に過電流がかかり、発光素子が破壊されることがなくなる。
【００１６】
請求項２に記載の発明は、請求項１において、フレキシブル基板に設けた発光素子は、筐体の上面をベゼル側正面よりみた長手方向を基準方向とし、基準方向に対し交差する方向に配置した構成とした。
【００１７】
この構成によれば、発光素子の配置を区別することでフレキシブル基板にもうけた発光素子の種類を容易に目視で区別できるとともに異なる機種の区別ができる。
【００１８】
請求項３に記載の発明は、請求項１または請求項２記載の発明において、フレキシブル基板に設けた電子部品は、筐体の上面をベゼル側正面よりみた長手方向を基準方向とし、基準方向に対し交差する方向に配置した構成とした。
【００１９】
この構成によれば、電子部品の配置を区別することでフレキシブル基板にもうけた電子部品の種類を容易に目視で区別できるとともに異なる機種の区別ができる。
【００２０】
請求項４に記載の発明は、請求項１から請求項３記載いずれか１つの発明において、発光素子または電子部品の少なくとも一方は、基準方向に対し交差する角度が略４５度である構成とした。
【００２１】
この構成によれば、発光素子または電子部品の配置が視覚で区別し易くフレキシブル基板にもうけた発光素子を容易に目視で区別できる。
【００２２】
請求項５に記載の発明は、請求項１から請求項４記載のいずれか１つの発明において、フレキシブル基板は、発光素子または電子部品の少なくとも一方が接続される複数の対の接続点を有する構成を採る。
【００２３】
この構成によれば、１つのフレキシブル基板で、複数の発光素子または電子部品に対応でき、発光素子または電子部品の位置で容易に種別が可能となる。
【００２４】
以下、本発明における光ディスク装置の実施の形態について説明する。
【００２５】
（実施の形態）
図１，図２はそれぞれ本発明の一実施の形態における光ディスク装置の表斜視図及び裏斜視図である。図１，図２はともにトレイを筐体から引き出した状態を示している。図３は本発明の一実施の形態における光ディスク装置の裏斜視図である。なお、図３においては、説明の為筐体の一部を除去した状態を示している。図４は本発明の一実施の形態における光ディスク装置のベゼルを除去した表斜視図である。
【００２６】
図１において、１は一端部開口の袋状の筐体で、筐体１は上部筐体部１ａと下部筐体部１ｂを組み合わせて構成されている。上部筐体部１ａと下部筐体部１ｂとは好ましくは図示していない係止手段とネジ止め部などを用いて、互いに強固に固定されている。筐体１の構成材料としては鉄，鉄合金，アルミ，アルミ合金，マグネシウム合金などの金属材料の様な導電材料が好適に用いられる。また、樹脂材料で各筐体部を構成し、その上に電着などの手法を用いて導電性の高い金属膜を形成したものを用いても良い。更に、上部筐体部１ａ及び下部筐体部１ｂそれぞれ同種の材料で構成しても良いし、異種の材料で構成しても良い。また、上部筐体部１ａ及び下部筐体部１ｂそれぞれの主平面部の平均肉厚は０．３ｍｍ〜１．６ｍｍの間であり、この平均肉厚の比較的薄い場合には上部筐体１ａ及び下部筐体部１ｂは金属材料で構成され、例えば、金属板をプレス加工などによって形成される。また、平均肉厚の比較的厚い場合には上部筐体部１ａ及び下部筐体部１ｂはダイカスト（アルミ，マグネシウム合金など）で構成される。
【００２７】
筐体１には制御回路を構成した筐体側回路基板１ｄが設けられており、コネクタ１ｅにて外部の電子機器と接続可能となっている。
【００２８】
２は筐体１に出没自在に設けられたトレイで、トレイ２は樹脂性のフレームで構成され、後述する各部が取り付けられている。３はトレイ２に設けられたピックアップモジュールであり、スピンドルモータ３ａ、光ピックアップ３ｂ、制御回路を構成するトレイ側回路基板３ｄを含んで構成される。トレイ側回路基板３ｄはフレキシブル基板１６によって、筐体側回路基板１ｄと結線されている。
【００２９】
スピンドルモータ３ａは光ディスク取り付け部３ｃが設けられており、取り付けた光ディスクを回転駆動させる。光ピックアップ３ｂは、図示していない光源や各光学部材を少なくとも搭載し、光ディスクに光を照射することで、光ディスクに情報を書き込むか或いは情報を読み出す動作の少なくとも一方を行うとともに、スピンドルモータ３ａに近づいたり離れたりする様に図示していない移動手段によって移動する。２ｇはディスク装着面で、ディスク装着時に光ディスクに対向する面である。４はトレイ２の前端面に設けられたベゼルで、ベゼル４はトレイ２が筐体１内に収納された時に、トレイ２の出没口１ｃを塞ぐように構成されており、樹脂材料やマグネシウムなどの金属合金で構成されている。
【００３０】
７はトレイ２の両端のレール部８に摺動自在に取り付けられた金属製のレールで、レール７は筐体１の内部に設けられたレールガイド９にも摺動自在に設けられており、このレ
ール７を設けることでトレイ２は筐体１に脱落することなく出し入れ自在に取り付けられている。トレイ２を筐体１内に入れてしまうとトレイ２のロック機構１１に設けられた係止部（図示せず）と筐体１側に設けられた係止部（図示せず）が係止し、トレイ２が筐体１内に固定される。この固定状態は、本光ディスク装置を取り付けた電子機器からの信号によってロック機構１１が解除されることにより解除される他、イジェクトボタン１２を押すことによっても解除される。
【００３１】
１０はピックアップモジュール３及びスピンドルモータ３ａ等の部材の裏面を覆うとともにトレイ２に設けられた裏面カバーで、裏面カバー１０は板状に構成され、アルミや鉄などの導電性材料で構成され、しかも係止手段やネジ止めなどでトレイ２に取り付けられている。
【００３２】
図３は、説明の為筐体１の下部筐体部１ｂのＡ部を除去して描いている。トレイ２の裏面にはレバー支持部１５が固定されており、またレバー１５ａがレバー支持部１５によってトレイ２の引き出し方向に所定範囲摺動自在に固定されている。レバー支持部１５もレバー１５ａも金属など導電体で構成されている。さらにレバー１５ａとレバー支持部１５の間には、バネなどの付勢手段１５ｂが設けられている。レバー１５ａは、付勢手段１５ｂによって、外部から負荷がかかっていない状態では摺動範囲の最も筐体１の背面１ｆ側に押し出された位置にある。またさらにレバー１５ａは、トレイ２が筐体１から引き出されている状態など外部から負荷がかかっていない状態では、トレイ２の背面１ｆ側の端部２ｆから背面１ｆ側に突出している。レバー１５ａの先端は折り曲げられており、筐体１の背面１ｆと対向する当接部１５ｃを形成している。
【００３３】
トレイ２を筐体１に収納させると当接部１５ｃは背面１ｆと当接し、レバー１５ａはトレイ２側に押し込まれる。したがってトレイ２を筐体１内に入れてしまい、トレイ２のロック機構１１によって固定された状態では、レバー１５ａは当接部１５ｃによって背面１ｆを付勢している。
【００３４】
一方、レバー支持部１５の一部は裏面カバー１０の一部と接触部を有し電気的に導通している。また、レバー１５ａはレバー支持部１５と摺動しており、少なくとも当接部１５ｃと背面１ｆが当接した状態では、レバー１５ａとレバー支持部１５は導通している。したがって、少なくとも当接部１５ｃと背面１ｆが当接した状態では、裏面カバー１０と筐体１は導通している。
【００３５】
図４は本発明の一実施の形態における光ディスク装置のベゼルを除去した表斜視図である。図４において、トレイ２のベゼル４側の側面２ａには貫通孔２ｂが設けられており、ピックアップモジュール３の側面３ｅが露出し、側面２ａと側面３ｅは略同一面上にある。これによって、ピックアップモジュール３を構成する空間を確保しつつトレイ引き出し方向のトレイ２の長さを極力小さくしている。１３はイジェクトスイッチでベゼル４装着時はイジェクトボタン１２を押すことによって、ほぼその裏側にあるイジェクトスイッチ１３が押されてＯＮになり、電気信号が制御回路に伝わり、制御回路の指令によりロック機構１１が解除される。１４は発光素子で、発光することにより光ディスク装置の動作状態を表示する。
【００３６】
発光素子１４は発光ダイオードや小型の電球等が使用できるが、発光ダイオードが消費電力が少なく望ましい。イジェクトスイッチ１３及び発光素子１４は、これらの配線を行うフレキシブル基板１７上に実装されており、フレキシブル基板１７はトレイ２のベゼル４側の側面２ａに設けられた突起２ｃ、２ｄによって係止または位置決めされている。
【００３７】
また、側面２ａには凹部２ｅが設けられている。そして凹部２ｅ内にフレキシブル基板
１７のイジェクトスイッチ１３、発光素子１４や電気部品１０１を構成する部分が配置されている。ベゼル４には貫通孔４ａが設けられており、貫通孔４ａから発光素子１４が見えるよう構成されている。光ディスクの動作時には、発光素子１４の発光状態を貫通光４ａから確認できる。
【００３８】
図５は、本発明の一実施の形態におけるフレキシブル基板の図である。
【００３９】
次に図５によりフレキシブル基板１７の構成部分について説明する。
【００４０】
フレキシブル基板１７には、イジェクトスイッチ１３、発光素子１４及び電子部品１０１などを設けている。
【００４１】
イジェクトスイッチ１３は、フレキシブル基板１７に半田などで接続され、フレキシブル基板１７の配線部分（図示せず）によって制御基板３ｄに接続されている。
【００４２】
また、フレキシブル基板１７は、発光素子１４が接続される接続点を複数対備えている。発光素子１４は、フレキシブル基板１７に備えた前記接続点の複数対のうち１対を選択して半田などで接続されている。
【００４３】
発光色の異なる発光素子１４にも対応できるために、これらの複数対の接点を選択して組み合わせることで、１つのフレキシブル基板１７で発光素子１４のみを替えることができる構成とした。また、発光素子１４と直列に電子部品１０１を備えている。電子部品１０１は、発光素子１４の動作にあわせて異なる定数が設定される。
【００４４】
図６は本発明に係わる発光素子接続部を示す図である。図６（ａ）、（ｂ）は、２対の接点の構成の一例である。２０ａ、２０ｂ、２０ｃ、２０ｄは発光素子１４を接続する接点であり、２０ａと２０ｂ、２０ｃと２０ｄはそれぞれフレキシブル基板１７に設けた配線部で連結されている。
【００４５】
フレキシブル基板１７に設けた発光素子１４は、筐体１の上面をベゼル４側正面よりみた長手方向、すなわち互いに平行に対向し配置された上部筐体部１ａと下部筐体部１ｂと平行な方向であって、イジェクトスイッチ１３の長手方向と同方向である方向を基準方向とし、基準方向に対し交差する方向に配置される。
【００４６】
複数の発光素子１４を区別するには、量産時に容易に目視でも判別できることが望ましく、前記基準方向に配置したり、基準方向に対し角度を設けて配置したりすることで発光素子１４を備えたフレキシブル基板１７を区別できる。
【００４７】
目視で区別するには、基準方向に対し、４５度、９０度や時計の針の位置例えば、１時方向、２時方向のように区別し易い角度を選んだ方が好ましい。
【００４８】
特に、２種類の発光素子１４を区別するには、左回転略４５度や右回転略４５度のように略４５度の角度となるように設けた方が目視での区別がやりやすい。
【００４９】
図６（ｂ）に、２０ａと２０ｄ間に基準方向に対し略４５度となるように設けられている一例を示す。
【００５０】
前記発光素子１４は、顧客の仕様によって、いくつかの色が選択できる。例えば、橙色や緑色等が一般的には使用される。前記複数の発光色のうち一色を選択して組み込んで製造される。
【００５１】
発光素子１４の発光色の異なるフレキシブル基板１７に発光素子１４を備えたものを部品としてあらかじめ準備しておく場合に、例えば、橙色の発光色の発光素子を備えたフレキシブル基板１７は、発光素子１４の配置を基準方向に対し左回転４５度とし、別の発光色例えば緑色の発光素子１４の配置を基準方向に対し右回転４５度とすると、左回転４５度と右回転４５度を目視で区別することが容易であり、誤使用を防ぐことができる。
【００５２】
また、異なる機種との区別には、例えば基準方向に対し左回転３０度と右回転３０度の配置とすることで基準方向の角度の違いで機種の区別も可能である。
【００５３】
従って、発光素子１４を基準方向に対して交差する配置を採ることによって、複数の発光素子の発光色の区別だけでなく、機種の区別も可能である。
【００５４】
発光素子１４の接点対は、２対の接点に限らず、図６（ｃ）、図６（ｄ）のような構成を採ってよいし、複数の接点を有し、その接点を選択して発光素子１４を配置する方法ならどの方法でも採ることができる。
【００５５】
また、発光素子１４の種類によって、発光に要する電流量が異なるので、電流量を設定するために発光素子１４と直列に接続された電子部品１０１の値を選択する。
【００５６】
電子部品１０１は、同一の発光素子１４の種類によっても異なる値とすることができる。低消費電力化のために発光素子に流れる電流を少なくし、発光量を抑えてでも消費電力を狙うこともできる。
【００５７】
図７は、本発明に係わる電子部品接続部を示す図である。
【００５８】
図７に示すように、電子部品１０１の接続は機種ごとに所望の角度に取り付け可能な構成とする。電子部品１０１は、発光素子１４が同一でも、発光量を減らして消費電力を減らすことができ、例えば左回転の角度の取り付けでは、発光素子１４は明るい発光となるように、また右回転の角度での取り付けでは、発光素子１４は発光量を減らした構成とすることができる。
【００５９】
異なる機種との区別には、目視で確認可能な角度、例えば基準方向に対し左回転４５度と右回転４５度の配置や、左回転３０度と右回転３０度のように区別しやすい角度としている。
【００６０】
これらの取り付け角度は、時計の時刻例えば２時方向、１０時方向と言うように区別し易い角度とすることでも基準方向の角度の違いで機種の区別も可能である。
【００６１】
フレキシブル基板１７に備えた配線部は、発光素子１４、イジェクトスイッチ１３、電子部品１０１、フィードモータ（図示せず）、ソレノイド（図示せず）などを接続して制御回路を構成するトレイ側回路基板３ｄに設けたコネクタ（図示せず）に接続されている。
【００６２】
電子部品１０１は、トレイ側回路基板３ｄに配設することも、フレキシブル基板１７に配置することもできるが、フレキシブル基板１７に配置した方が望ましく、フレキシブル基板１７に電子部品１０１を配置すると組み立て前の前検査の際に発光素子１４に過電流が加わることがなくなり、発光素子１４を劣化または破壊することがなくなる。
【００６３】
また電子部品１０１をフレキシブル基板１７側に設けたことで、発光素子１４の種類に
区別されることなく同一のトレイ側回路基板３ｄを使用することができるため複数のトレイ側回路基板３ｄを準備しなくてもよく、誤使用等のミスを防ぐことができるので製品品質がよくなる。
【００６４】
さらに、検査済のフレキシブル基板１７は、発光素子１４および電子部品１０１の位置や取付角度などによって種類を容易に目視でも区別できる構成となっているためさらに誤使用がなくなる。
【産業上の利用可能性】
【００６５】
本発明は、製造時の部品破壊を防止することができるため、装置の前面に半導体の表示部品を備えた記録再生装置に使用することができる。
【図面の簡単な説明】
【００６６】
【図１】本発明の一実施の形態における光ディスク装置の表斜視図
【図２】本発明の一実施の形態における光ディスク装置の裏斜視図
【図３】本発明の一実施の形態における光ディスク装置の裏斜視図
【図４】本発明の一実施の形態における光ディスク装置のベゼルを除去した表斜視図
【図５】本発明の一実施の形態におけるフレキシブル基板の図
【図６】本発明に係わる発光素子接続部を示す図
【図７】本発明に係わる電子部品接続部を示す図
【符号の説明】
【００６７】
１    筐体
１ａ    上部筐体部
１ｂ    下部筐体部
１ｃ    出没口
１ｄ    筐体側回路基板
１ｅ    コネクタ
１ｆ    背面
２    トレイ
２ａ    側面
２ｂ    貫通孔
２ｃ    突起
２ｄ    突起
２ｅ    凹部
２ｆ    端部
２ｇ    ディスク装着面
２ｈ    突起
３    ピックアップモジュール
３ａ    スピンドルモータ
３ｂ    光ピックアップ
３ｃ    光ディスク取り付け部
３ｄ    トレイ側回路基板
３ｅ    側面
４    ベゼル
５    導電板
７    レール
８    レール部
９    レールガイド
１０    裏面カバー
１０ａ    導電板
１０ｂ    貫通孔
１１    ロック機構
１２    イジェクトボタン
１３    イジェクトスイッチ
１４    発光素子
１７    フレキシブル基板
１０１    電気部品
【図１】
2006054031.tif 000003
【図２】
2006054031.tif 000004
【図３】
2006054031.tif 000005
【図４】
2006054031.tif 000006
【図５】
2006054031.tif 000007
【図６】
2006054031.tif 000008
【図７】
2006054031.tif 000009